(57)【特許請求の範囲】
【請求項１】
ねじ対偶する固定側部材と回転側部材を利用して消ゴムを繰り出す形式の消ゴム繰出機構をキャップに設け該キャップを軸筒に嵌着するようにした消ゴム付筆記具において、上記消ゴム繰出機構の固定側部材をキャップに回転自在に設けると共にその内方端をキャップの内方に突出し、上記キャップを軸筒の後部に嵌着した際、上記固定側部材に係合して該固定側部材の回転を阻止するよう回転止め部を上記軸筒の後端に設け、上記軸筒内にはボールペンリフィールが収納され、上記固定側部材の内方端には上記キャップを軸筒の先部に嵌着した際、上記ボールペンリフィールの筆記先端に当って該筆記先端の乾燥防止をする有弾性のエアタイトが設けられている消ゴム付筆記具。
【請求項２】
上記消ゴム繰出機構は、内面にスクリューねじ部を有し回転自在に設けられた回転スクリューと、該回転スクリュー内に挿入され上記スクリューねじ部が係合するねじ溝と軸方向に延びる受溝を有する消ゴムと、該回転スクリューの外周に回転自在に設けられ上記受溝に係合する係合片を有する回転筒を含み、上記回転スクリューの内方端には、軸筒の後端に設けた回転止め部に係合する係合受部と上記エアタイトが設けられている請求項１に記載の消ゴム付筆記具。
【請求項３】
上記消ゴム繰出機構は、周面に軸方向に延びる窓部を有し回転自在に設けられ内部に消ゴムを収納した回転スリーブと、該回転スリーブ内に設けられ上記窓部から外方に突出するスクリューねじ部を有し消ゴムを保持する消ゴム受け台と、上記回転スリーブの外周に回転自在に設けられ上記受け台のスクリューねじ部が係合するねじ溝を有する回転筒を含み、上記回転スリーブの内方端には軸筒の後端に設けた回転止め部に係合する係合受部と上記エアタイトが設けられている請求項１に記載の消ゴム付筆記具。
【発明の詳細な説明】
【０００１】
【発明の属する技術分野】
本発明は消ゴムで消せるボールペン、シャープペンシルその他の消ゴム付筆記具に関する。
【０００２】
【従来の技術】
ノック式シャープペンシル等の場合、軸筒の後部にねじ対偶を利用した消ゴム繰出機構を設けて消ゴムを必要量繰り出して使用できるようにしたものが種々知られているが、ボールペンの場合には、消ゴムがキャップ等に固定されているので、使用により磨滅すると交換可能なものでは替え消ゴムと交換することができるが、交換できないものではそれ以上使えなくなってしまった。また、上記のようにねじ対偶を利用した消ゴム繰出機構の場合、携行中等の振動や衝撃により回転操作部が回転すると、消ゴムが繰り出されてしまって不便であった。その上、ボールペンの場合には、筆記先端の乾燥防止手段を設けなければならないが、該乾燥防止部を独立してキャップ内に設けるとキャップの構成が複雑になり、経済的でない。
【０００３】
【発明が解決しようとする課題】
本発明の解決課題は、キャップに消ゴムを設けた消ゴム付ボールペン等の筆記具において、使用により消ゴムが磨滅しても繰り出して使用することができると共に必要時以外は回転操作部を回転しても消ゴムが出没しないようにした消ゴム付筆記具を提供することである。
【０００４】
また、本発明の解決課題は、ボールペンリフィールを軸筒内に収納した筆記具において、繰出式の消ゴムを有し、かつ筆記先端部の乾燥防止手段を簡単に設けることができるようにした消ゴム付筆記具を提供することである。
【０００５】
【課題を解決するための手段】
ねじ対偶する固定側部材と回転側部材を利用して消ゴムを繰り出す形式の消ゴム繰出機構は、従来より種々の構成が提案されているが、基本的には固定側部材と回転側部材をねじ係合し、回転側部材を回転することにより固定側部材若しくは回転側部材を直線動させて消ゴムを繰り出している。したがって、回転側部材を回転させた際、固定側部材も一緒に回転してしまうと回転運動を直線運動に変換することはでぎず、消ゴムを繰り出すことはできない。
【０００６】
本発明は、上記のような形式の消ゴム繰出機構の構成に着目し、消ゴムを繰り出す必要のない場合は、固定側部材と回転側部が一緒に回転するようにし、消ゴムを繰り出すときは、上記固定側部材の回転を阻止して消ゴムを繰り出しできるようにしたものである。
【０００７】
すなわち、本発明によれば、ねじ対偶する固定側部材と回転側部材を利用して消ゴムを繰り出す形式の消ゴム繰出機構をキャップに設け該キャップを軸筒に嵌着するようにした消ゴム付筆記具において、上記消ゴム繰出機構の固定側部材をキャップに回転自在に設けると共にその内方端をキャップの内方に突出し、上記キャップを軸筒の後部に嵌着した際、上記固定側部材に係合して該固定側部材の回転を阻止するよう回転止め部を上記軸筒の後端に設けた消ゴム付筆記具が提供される。この消ゴム付筆記具は、軸筒の先部にキャップが嵌着されているときには、固定側部材が回転自在になっているので、回転側部材を回転しても消ゴムを繰り出すことができないが、軸筒の後部にキャップを嵌着すると、固定側部材の回転が阻止されるので、消ゴムを繰り出すことができ、これにより上記課題を解決することができる。
【０００８】
また、本発明によれば、上記消ゴム付筆記具において、軸筒内にはボールペンリフィールが収納され、上記固定側部材の内方端には上記キャップを軸筒の先部に嵌着した際、上記ボールペンリフィールの筆記先端に当って該筆記先端の乾燥防止をする有弾性のエアタイトが設けられている上記消ゴム付筆記具が提供され、上記課題が解決される。
【０００９】
【発明の実施の形態】
ねじ対偶する固定側部材と回転側部材を利用して消ゴムを繰り出す形式の消ゴム繰出機構は、従来より種々の構成が知られており、その殆んどの機構に本発明を適用することができる。また、ノック式シャープペンシル等の筆記具にも適用することができるが、好適にはボールペン等の筆記具に適用される。
【００１０】
図１〜図３には、軸筒（１）内にボールペンリフィール（２）を収納した筆記具が示されており、該軸筒（１）には、クリップ（３）を有するキャップ（４）が着脱可能に嵌着されている。該キャップ（４）には、回転スクリュー（５）を固定側部材とし、回転筒（６）及び消ゴム（７）を回転側部材とする形式のねじ対偶を利用した消ゴム繰出機構が設けられている。
【００１１】
上記回転スクリュー（５）は、内方端（８）側に首部（９）を有し、該首部（９）をキャップ本体(10)の孔(11)に嵌着させることにより該キャップ本体(10)に回転自在に取り付けられ、後方の筒状部(12)の内面にはスクリューねじ部(13)が設けられている。また、上記内方端側には、エラストマー、軟質プラスチック、合成ゴムその他の有弾性のエアタイト(14)が設けられている。図において、該エアタイト(14)は上記回転スクリューと別体に形成した後、上記内方端に装着してあるが、上記回転スクリューの成形時に、二色成形、インサート成形等の要領により回転スクリューと一体成形することもできる。
【００１２】
上記回転スクリュー（５）の内方端（８）には、軸筒（１）の後端に設けた回転止め部(15)に係合するよう係合受部(16)が設けられている。図において、上記回転止め部(15)は、両側に延びる突片状の形状に形成されているので、これに対応して上記係合受部(16)は切欠溝状に形成されているが、これらの形状は回転止めの効果を奏する適宜の形状に形成することができ、例えば係合受部を突片状にし回転止め部を凹部に形成したり、両者を断面多角形若しくは異型断面形状に形成して嵌合させるようにしてもよい。
【００１３】
消ゴム（７）は、上記回転スクリュー（５）の筒状部(12)内に挿入され、周面に上記スクリューねじ部(13)に係合するねじ溝(17)と軸方向に延びる受溝(18)が形成されている。
【００１４】
上記クリップ（３）を有する回転筒（６）は、上記受溝(18)に係合する係合片(19)を有し、上記回転スクリュー（５）の外周に回転自在に設けられている。図においては、回転筒（６）の内面に凹溝(20)を設け、該凹溝(20)を回転スクリュー（５）の外周に設けた隆起部(21)に係合させて回転自在に取り付けてあるが、凹溝と隆起部を図示とは逆の部材に設けるようにしたり、回転筒（６）をキャップ本体(10)に直接回転自在に取り付けてもよい。
【００１５】
上記の構成により、上記キャップ（４）を軸筒（１）の先部に嵌着した状態では、図１（Ａ）、図３（Ａ）に示すように、ボールペンリフィールの筆記先端(2a)は、上記エアタイト(14)に当り、該エアタイト(14)により乾燥が防止される。そして、この状態では、上記回転スクリュー（５）は回転自在であるので、上記回転筒（６）を回しても該回転筒（６）と一緒に回転して消ゴム（７）を繰り出すことができない。
【００１６】
上記キャップ（４）を軸筒（１）の後部に嵌着すると、図３（Ｂ),（Ｃ）に示すように、上記回転止め部(15)に回転スクリュー（５）の係合受部(16)が係合し、該回転スクリュー（５）の回転動は阻止される。したがって、この状態で上記回転筒（６）を回転すると、上記係合片(19)及び受溝(18)を介して上記消ゴム（７）は回転すると同時に該消ゴム（７）のねじ溝(17)が上記回転スクリュー（５）のスクリューねじ部(13)に係合しているので、軸方向に移動し、該回転スクリュー（５）の筒状部(12)から繰り出すことができる。
【００１７】
図４、図５には他の消ゴム繰出機構に本発明を適用した実施例が示されている。図においては、キャップ（４）のみが示されており、該キャップには、固定側部材となる回転スリーブ(22)と回転側部材となる回転筒(23)が設けられている。
【００１８】
上記回転スリーブ(22)は、内部に消ゴム(24)を収納し、周面に軸方向に延びる窓部(25)を有し、キャップ内に回転自在に設けられている。図においては、図示を省略した凹溝や隆起部によりクリップ（３）を有する回転筒(23)をキャップ本体(10)に回転自在に連結し、該回転筒(23)に固定したねじ筒(26)に回転スリーブ(22)の首部(27)を回転自在に取り付けてあるが、上記キャップ本体(10)に直接回転自在に取り付けてもよい。
【００１９】
上記回転スリーブ(22)内には、上記消ゴム(24)の底部を保持する消ゴム受け台(28)が設けられ、該消ゴム受け台(28)は上記窓部(25)に嵌合して軸方向に摺動可能であり、外周には外方に突出するスクリューねじ部(29)が設けられている。
【００２０】
上記回転筒(23)は、上記キャップ本体(10)に回転自在に設けられ、内面に上記受け台(28)のスクリューねじ部(29)に係合するねじ溝(30)が形成されている。該ねじ溝(30)は、該回転筒(23)に直接形成することもできるが、図示する実施例では、ねじ溝(30)を有するねじ筒(26)を形成し、該ねじ筒(26)を回転筒(23)内に圧入、接着、凹凸係合その他適宜の手段により固定するようにしてある。
【００２１】
上記回転スリーブ(22)の内方端(31)には、上記実施例とほぼ同様に、一体若しくは別体の有弾性のエアタイト(32)を設けてあり、軸筒の後端に設けた回転止め部(33)に係合する係合受部(34)が設けられている。なお、該回転止め部(33)と係合受部(34)は、上述したように、回り止め作用を奏する適宜の形状に形成することができる。
【００２２】
上記の構成により上記キャップ（４）を軸筒の先部に嵌着すると、ボールペンリフィール（２）の筆記先端(2a)は、上記エアタイト(32)に当接して乾燥が防止される。この状態では、上記回転スリーブ(22)は、回転自在であるので、回転筒(23)を回しても消ゴム(24)が繰り出されることはない。
【００２３】
上記キャップ（４）を軸筒の後部に嵌着し、回転止め部(33)に回転スリーブ(22)の係合受部(34)を係合させると、該回転スリーブ(22)の回転は阻止される。したがって、上記回転筒(23)を回転すると、ねじ溝(30)、スクリューねじ部(29)を介して上記消ゴム受け台(28)が軸方向に摺動し、消ゴム(24)を繰り出すことができる。
【００２４】
上記実施例では、ねじ対偶を利用した消ゴム繰出機構の一例につき説明したが、上述の実施例以外の各種のねじ対偶形式の消ゴム繰出機構に本発明を適宜、適用できることは明らかである。
【００２５】
【発明の効果】
本発明は上記のように構成され、ねじ対偶する固定側部材と回転側部材を利用して消ゴムを繰り出す形式の消ゴム繰出機構をキャップに設け該キャップを軸筒に嵌着するようにした消ゴム付筆記具において、上記消ゴム繰出機構の固定側部材をキャップに回転自在に設けると共にその内方端をキャップの内方に突出し、上記キャップを軸筒の後部に嵌着した際、上記固定側部材に係合して該固定側部材の回転を阻止するよう回転止め部を上記軸筒の後端に設けたので、上記軸筒の先部にキャップを嵌着した状態では、固定側部材が回転側部材と一緒に回転し、消ゴムを繰り出すことができず、したがって携行中に振動、衝撃が作用しても不用意に消ゴムが繰り出されることがない。
【００２６】
そして、上記キャップを軸筒の後部に嵌着すると、回転止め部により上記固定側部材の回転は阻止されるから、上記回転側部材を回して消ゴムを必要量繰り出すことができ、消ゴムを充分に使用することができる。
【００２７】
その上、上記固定側部材の内方端に有弾性のエアタイトを設けることができ、それによりキャップを軸筒の先部に嵌着すると、ボールペンリフィールの筆記先端が該エアタイトに当るから、該筆記先端の乾燥を防止することができる。
【図面の簡単な説明】
【図１】本発明の一実施例を示し、（Ａ）はキャップを断面した正面図、（Ｂ）は側面図。
【図２】キャップ部分の分解斜視図。
【図３】（Ａ）はキャップを軸筒の先部に嵌着した状態、（Ｂ）及び（Ｃ）は軸筒の後部に嵌着した状態の各説明図。
【図４】他の実施例を示す断面図。
【図５】図４に示す実施例の分解斜視図。
【符号の説明】
１  軸筒    ２  ボールペンリフィール    ４  キャップ    ５  回転スクリュー    ６  回転筒    ７  消ゴム    ８  内方端    １３  スクリューねじ部１４  エアタイト    １５  回転止め部    １６  係合受部    １７  ねじ溝    １８  受溝    １９  係合片    ２２  回転スリーブ    ２３  回転筒  ２４  消ゴム    ２５  窓部    ２８  消ゴム受け台    ２９  スクリューねじ部    ３０  ねじ溝    ３２  エアタイト    ３３  回転止め部    ３４  係合受部
【図１】
0003803826.tif 000002
【図２】
0003803826.tif 000003
【図３】
0003803826.tif 000004
【図４】
0003803826.tif 000005
【図５】
0003803826.tif 000006